【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
第１の端部（４１０）、第２の端部（４１２）、及びチャネル系（４０４）を有する基部であって、チャネル系が基部の第２の端部より第１の端部の近くに位置している基部（４０２）と、
基部の一方の面から延びてチャネル系を部分的に取り囲む壁（４０６）と、
第１の端部より第２の端部の近くの壁に設けられた開口（４１４）であって、壁の形状が、チャネル系を通して導入されたガスを溶接位置に保持し、このガスを、チャネル系から遠ざかって壁の開口を通るように移動させることができる形状である開口（４１４）と
該壁とは別個のシール（４０８）であって、旋回可能に壁に取り付けられており、該シールは構造の表面に適合することが可能なシール（４０８）と、
を含む装置。
【請求項２】
シールが、壁の表面に可動に取り付けられており、表面上で移動することにより表面に適合することができる、請求項１に記載の装置。
【請求項３】
シールを壁の表面に可動に取り付ける一組のネジを更に含む、請求項２に記載の装置。
【請求項４】
チャネル系が基部に任意の数の穴を含み、任意の数の穴がレーザ光線と不活性ガスとを受けることができる、請求項１に記載の装置。
【請求項５】
壁の形状が第１の端部から第２の端部に向かって小さくなる、請求項１に記載の装置。
【請求項６】
壁の形状が液滴形状である、請求項１に記載の装置。
【請求項７】
基部の一方の面が第１の面であり、基部が、第１の面の反対側に第２の面を有しており、基部の第１の面が、第２の面と開口とに向かって傾斜するスロープを有している、請求項１に記載の装置。
【請求項８】
前記一方の面が第１の面であり、基部が、第１の面の反対側に第２の面を有しており、チャネル系が、第１の面に第１の直径を有し、第２の面に第２の直径を有するチャネルを含む、請求項１に記載の装置。
【請求項９】
成形された排出口が開口に取り付けられており、この成形された排出口は開口を縮小するものである、請求項１に記載の装置。
【請求項１０】
溶接ヘッドを更に含み、この溶接ヘッドに基部を固定することができる、請求項１に記載の装置。
【請求項１１】
溶接ヘッドに固定されたレーザ、及び溶接ヘッドに接続されたガス供給部を更に含む、請求項１０に記載の装置。
【請求項１２】
溶接ヘッドに接続されて、基部及び壁を冷却することができる冷却ユニットを更に含む、請求項１１に記載の装置。
【請求項１３】
溶接ヘッドが取り付けられたロボットユニットであって、レーザ溶接作業の間に溶接ヘッドを移動させることができるロボットユニットと、
ロボットユニットに接続されて、レーザ溶接作業を実行する溶接ヘッドを動かすロボットユニットを制御することができるコンピュータと
を更に含む、請求項１２に記載の装置。
【手続補正２】
【補正対象書類名】明細書
【補正対象項目名】００８６
【補正方法】変更
【補正の内容】
【００８６】
選択された一又は複数の実施形態は、実施形態の原理、現実的な用途を最もよく説明し、他の当業者が、想起される特定の使用に適した様々な修正例を含めて種々の実施形態の開示内容を理解できるように選ばれている。
また、本願は以下に記載する態様を含む。
（態様１）
第１の端部、第２の端部、及びチャネル系を有する基部であって、チャネル系が基部の第２の端部より第１の端部の近くに位置している基部と、
基部の一方の面から延びてチャネル系を部分的に取り囲む壁と、
第１の端部より第２の端部の近くの壁に設けられた開口であって、壁の形状が、チャネル系を通して導入されたガスを溶接位置に保持し、このガスを、チャネル系から遠ざかって壁の開口を通るように移動させることができる形状である開口と
を含む装置。
（態様２）
壁の表面に取り付けられて、この表面に適合することができるシールを更に含む、態様１に記載の装置。
（態様３）
シールが、壁の表面に可動に取り付けられており、表面上で移動することにより表面に適合することができる、態様２に記載の装置。
（態様４）
シールを壁の表面に可動に取り付ける一組のネジを更に含む、態様３に記載の装置。
（態様５）
チャネル系が基部に任意の数の穴を含み、任意の数の穴がレーザ光線と不活性ガスとを受けることができる、態様１に記載の装置。
（態様６）
壁の形状が第１の端部から第２の端部に向かって小さくなる、態様１に記載の装置。
（態様７）
壁の形状が液滴形状である、態様１に記載の装置。
（態様８）
基部の一方の面が第１の面であり、基部が、第１の面の反対側に第２の面を有しており、基部の第１の面が、第２の面と開口とに向かって傾斜するスロープを有している、態様１に記載の装置。
（態様９）
前記一方の面が第１の面であり、基部が、第１の面の反対側に第２の面を有しており、チャネル系が、第１の面に第１の直径を有し、第２の面に第２の直径を有するチャネルを含む、態様１に記載の装置。
（態様１０）
成形された排出口が開口に取り付けられており、この成形された排出口は開口を縮小するものである、態様１に記載の装置。
（態様１１）
シールが、鋼、セラミック繊維、アルミニウム、及び銅から選択された材料からなっている、態様２に記載の装置。
（態様１２）
基部、及び基部から延びる壁が、鋼、アルミニウム、及び銅から選択された一の材料からなっている、態様１に記載の装置。
（態様１３）
溶接ヘッドを更に含み、この溶接ヘッドに基部を固定することができる、態様１に記載の装置。
（態様１４）
溶接ヘッドに固定されたレーザ、及び溶接ヘッドに接続されたガス供給部を更に含む、態様１３に記載の装置。
（態様１５）
溶接ヘッドに接続されて、基部及び壁を冷却することができる冷却ユニットを更に含む、態様１４に記載の装置。
（態様１６）
溶接ヘッドが取り付けられたロボットユニットであって、レーザ溶接作業の間に溶接ヘッドを移動させることができるロボットユニットと、
ロボットユニットに接続されて、レーザ溶接作業を実行する溶接ヘッドを動かすロボットユニットを制御することができるコンピュータと
を更に含む、態様１５に記載の装置。
（態様１７）
レーザ溶接用のカバーであって、
第１の面、第２の面、及び第１の面から第２の面に延びるチャネルを有する基部であって、チャネルがレーザ光線及び不活性ガスを受けることができる基部と、
チャネル周辺の最大面積からチャネルから離れるにつれて小さくなる細長い形状の領域を取り囲む、基部の第１の面から延びた壁であって、チャネルを部分的に取り囲み、且つ端部で狭くなっている壁と、
壁の狭くなっている端部の近くで壁に設けられた開口であって、前記細長い形状によって不活性ガスがチャネルから開口に向かって移動することが可能な開口と、
壁に取り付けられて、構造の表面に適合することができるシールと
を含むカバー。
（態様１８）
シールが、アルミニウム、鋼、及びセラミック繊維から選択された一の材料からなる、態様１７に記載のカバー。
（態様１９）
レーザ溶接の方法であって、
構造の上にカバーを配置するステップであって、このカバーが、第１の端部と、第２の端部と、基部の第２の端部より第１の端部の近くに位置するチャネルとを含む基部、基部の一の面から延びてチャネルを部分的に取り囲む壁、及び第１の端部より第２の端部の近くの壁に設けられている開口を有しているステップ、
チャネルを通して不活性ガスを供給するステップであって、壁の形状により、チャネルを通して導入された不活性ガスの一部を溶接位置に保持し、チャネルから遠ざかり壁の開口を通る不活性ガスの流れが生じるステップ、
チャネルを通して構造の表面上の溶接位置にレーザ光線を送るステップ、並びに
構造上のカバーによってレーザ光線を移動させることにより構造を溶接するステップ
を含む方法。
（態様２０）
前記配置するステップと前記移動させるステップとを、ロボットユニットを用いて実行する、態様１９に記載の方法。